(57)【要約】【課題】天板の後方に、配線用ダクトを簡単に着脱しうるようにする。【解決手段】天板１の後部に、後方を向くとともに下方へ凹入する配線用ダクト２を設け、この配線用ダクト２の後側において、机の左右の脚体３の間に、デスクトップパネル７の支柱８の下端部における前向支持体９を保持させることにより、天板１の後端とデスクトップパネル７との間に、ケーブル等の落し込み用間隙を形成する。【選択図】　　　　図１
2004057434.tif 000002
【特許請求の範囲】
【請求項１】
天板の後部に、後方を向くとともに下方へ凹入する配線用ダクトを設け、この配線用ダクトの後側において、机の左右の脚体の間に、デスクトップパネルの支柱の下端部における前向支持体を保持させることにより、天板の後端とデスクトップパネルとの間に、ケーブル等の落し込み用間隙を形成したことを特徴とする配線用ダクトを備える机。
【請求項２】
配線用ダクトの前端を、机の天板に、同じく後部を、左右の脚体を連結する横桟にビスをもって止着したことを特徴とする請求項１記載の配線用ダクトを備える机。
【請求項３】
配線用ダクトの前端および後部を、ビスをもって、それぞれ机の天板および横桟に止着したことを特徴とする請求項１または２記載の配線用ダクトを備える机。
【請求項４】
天板とデスクトップパネルの支柱とを、ケーブル等の落し込み用間隙の上方において、前後方向を向く振れ止め杆をもって連結したことを特徴とする請求項１〜３のいずれかに記載の配線用ダクトを備える机。
【請求項５】
振れ止め杆を、前後端部にそれぞれ上向凹入孔を有するものとし、かつこれらの上向凹入孔を、それぞれ、天板およびデスクトップパネルの支柱に設けた側方を向く係止ピンに係合したことを特徴とする請求項４記載の配線用ダクトを備える机。
【請求項６】
前向支持体の前端部を、左右の脚体を連結する横桟に止着したことを特徴とする請求項１〜５のいずれかに記載の配線用ダクトを備える机。
【請求項７】
前向支持体の前端部を、左右の脚体を連結する上下の横桟の間に嵌合して止着したことを特徴とする請求項６記載の配線用ダクトを備える机。
【発明の詳細な説明】
【０００１】
【発明の属する技術分野】
本発明は、天板の後方に配線用ダクトを設けた机に関する。
【０００２】
【従来の技術】
天板の後方に左右方向を向く配線用ダクトを設けた従来の机においては配線用ダクトのために天板の有効面積が滅殺され、かつ不要時に、配線用ダクトを取外すことはできない。
【０００３】
また、従来のものでは、配線用ダクトを簡単に着脱することについて十分な配慮はなされていない。
【０００４】
【発明が解決しようとする課題】
本発明は、必要に応じて、天板の後方に、配線用ダクトを簡単に着脱しうるようにした机を提供することを目的としている。
【０００５】
【課題を解決するための手段】
本発明によると、上記課題は、次のようにして解決される。
（１）　天板の後部に、後方を向くとともに下方へ凹入する配線用ダクトを設け、この配線用ダクトの後側において、机の左右の脚体の間に、デスクトップパネルの支柱の下端部における前向支持体を保持させることにより、天板の後端とデスクトップパネルとの間に、ケーブル等の落し込み用間隙を形成する。
【０００６】
（２）　上記（１）項において、配線用ダクトの前端を、机の天板に、同じく後部を、左右の脚体を連結する横桟にビスをもって止着する。
【０００７】
（３）　上記（１）または（２）項において、配線用ダクトの前端および後部を、ビスをもって、それぞれ机の天板および横桟に止着する。
【０００８】
（４）　上記（１）〜（３）項のいずれかにおいて、天板とデスクトップパネルの支柱とを、ケーブル等の落し込み用間隙の上方において、前後方向を向く振れ止め杆をもって連結する。
【０００９】
（５）　上記（４）項において、振れ止め杆を、前後端部にそれぞれ上向凹入孔を有するものとし、かつこれらの上向凹入孔を、それぞれ、天板およびデスクトップパネルの支柱に設けた側方を向く係止ピンに係合する。
【００１０】
（６）　上記（１）〜（５）項のいずれかにおいて、前向支持体の前端部を、左右の脚体を連結する横桟に止着する。
【００１１】
（７）　上記（６）項において、前向支持体の前端部を、左右の脚体を連結する上下の横桟の間に嵌合して止着する。
【００１２】
【発明の実施の形態】
机の天板（１）の後部下面には、その幅より僅かに狭幅で、後方へ向って、３段階に凹入する配列用ダクト（２）の前端が、ビス（１８）をもって止着されている。
【００１３】
左右の脚体（３）の後部は、上下２本の横桟（４）（５）をもって連結され、配設ダクト（２）の２段目の後端角部は、上部横桟（４）の上面と後面に当接され、ビス（６）をもって上部横桟（４）と止着されている。
【００１４】
上部横桟（４）の下面と、下部横桟（５）の上面との間には、デスクトップパネル（７）の支柱（８）の下端における前向きの支持体（９）が嵌合され、それぞれ、上向きおよび下向きのビス（１０）（１１）をもって、上部横桟（４）および下部横桟（５）に止着されている。
【００１５】
天板（１）の下面における前後杆（１２）の側面の後端付近に設けた側方を向く係止ピン（１３）と、デスクトップパネル（７）の支柱（８）の側面におけるほぼ等高の個所に設けた係止ピン（１４）には、それぞれ、前後方向を向く振れ止め杆（１５）の前後端に下面より設けた上向凹入孔（１６）（１７）が嵌合されている。
【００１６】
なお、前記支持体（９）および振れ止め杆（１５）は、左右に１対ずつ設けられており、天板（１）の後縁と、デスクトップパネル（７）もしくはその支柱（８）との間には、ケーブル等を落とし込んだり、引き上げたりするための若干の間隙が形成されている。
【００１７】
前記配線用ダクト（２）の３段目は、左右の支持ブラケット（９）の間においては、下向凹入して、支持ブラケット（９）の間へ入り込んでいるが、支持ブラケット（９）の個所においては、その上面に当接している。すなわち、配線用ダクト（２）の３段目は、図２に示すように、正面視において、広幅Ｕ字状となっている。
【００１８】
【発明の効果】
各請求項に記載の発明の効果は、次の如くである。
請求項１：配線用ダクトは、机の天板の後方に突出状態で設けられているため、天板の有効面積が減ぜられることはなく、またケーブル落し込み用間隙の後側に、デスクトップパネルの支柱が位置しているため、配線用ダクトへ出し入れするケーブル等が、後方へ滑り落ちたりすることはない。
【００１９】
請求項２：配線用ダクトは、机の後部下面に安定よく支持される。
【００２０】
請求項３：机に対する配線用ダクトの着脱を簡単に行うことができる。
【００２１】
請求項４：デスクトップパネルの支柱は、上下２か所において、机に連結されているので、デスクトップパネルの支持は強固であるとともに、安定がよい。
【００２２】
請求項５：支柱の中間部と天板とを連結する振れ止め杆を、簡単に着脱することができるので、組立ておよび分解に好都合である。
【００２３】
請求項６：デスクトップパネルの支柱の下端の前向支持体を机に連結するのに、机における左右の脚体を連結する横桟を利用するので、机に特別の部材を取り付ける必要はない。
【００２４】
請求項７：前向支持体の前部は、机における上下の横桟の間に嵌合支持されるので、デスクトップパネルに前後方向の荷重が作用しても、妄りに動いたり、緩んだりすることはない。
【図面の簡単な説明】
【図１】本発明の一実施形態を、手前側の脚体を省略して略示する側面図である。
【図２】図１におけるＩＩ−ＩＩ線縦断面図である。
【符号の説明】
（１）天板
（２）配線用ダクト
（３）脚体
（４）上部横桟
（５）下部横桟
（６）ビス
（７）デスクトップパネル
（８）支柱
（９）前向支持ブラケット
（１０）（１１）ビス
（１２）前後杆
（１３）（１４）係止ピン
（１５）振れ止め杆
（１６）（１７）上向凹入孔
（１８）ビス
【図１】
2004057434.tif 000003
【図２】
2004057434.tif 000004